(57)【要約】【課題】タッチパネルの面積が限られている場合、ユーザが行表示領域を押下する方向を把握することなく、かな文字を入力することができる情報処理装置を提供すること。【解決手段】本発明の情報処理装置は、複数の行の１列目のかな文字をそれぞれ表す複数の行表示領域と、ユーザがタッチしながら文字を入力するための座標領域である文字入力領域とを含む文字入力画面をタッチパネルに表示する。ユーザが複数の行表示領域のうちの１つの行表示領域をタッチしたとき、行表示領域に対応する選択行とそれに対する５列のかな文字を選択する。そこで、ユーザが文字入力領域にタッチしながら文字を入力したときの入力座標及び入力押下面積を入力し、選択行とそれに対する５列のかな文字の中から、入力座標及び入力押下面積が対応データベースに格納された座標及び押下面積に最も近い選択かな文字を選択する。【選択図】図４
2011053935.tif 000002
【特許請求の範囲】
【請求項１】
タッチパネル、表示装置及び制御装置を具備し、
前記制御装置は、
複数の行とそれに対する５列のかな文字を表すデータが格納された文字データベースと、
前記文字データベースに格納された全てのかな文字に対して、座標及び押下面積が格納された対応データベースと、
前記文字データベースに格納された前記全てのかな文字のうちの、複数の行の１列目のかな文字をそれぞれ表す複数の行表示領域と、ユーザがタッチしながら文字を入力するための座標領域である文字入力領域とを含む文字入力画面を前記タッチパネルに表示する入力画面表示制御部と、
ユーザが前記複数の行表示領域のうちの１つの行表示領域をタッチしたとき、前記文字データベースに格納された前記全てのかな文字の中から、前記１つの行表示領域に対応する選択行とそれに対する５列のかな文字を選択する行選択制御部と、
ユーザが前記文字入力領域にタッチしながら文字を入力したとき、そのときの座標及び押下面積をそれぞれ入力座標及び入力押下面積として入力する文字入力制御部と、
前記選択行とそれに対する５列のかな文字の中から、前記入力座標及び前記入力押下面積が前記対応データベースに格納された前記座標及び前記押下面積に最も近い選択かな文字を選択する文字選択制御部と、
前記選択かな文字を前記表示装置に表示する文字出力制御部と
を具備する情報処理装置。
【請求項２】
前記制御装置は、
文字一時記憶部
を更に具備し、
前記文字入力制御部は、
ユーザが前記文字入力領域にタッチしながら文字を入力したとき、そのときの座標及び押下面積をそれぞれ候補座標及び候補押下面積として入力して、前記文字一時記憶部に格納し、
その後に、ユーザが前記文字入力領域以外の領域にタッチしたとき、前記文字一時記憶部に格納された前記候補座標及び前記候補押下面積をそれぞれ前記入力座標及び前記入力押下面積として確定する
請求項１に記載の情報処理装置。
【請求項３】
前記文字入力制御部は、
ユーザが前記文字入力領域にタッチしながら文字を入力したとき、そのときの座標及び押下面積をそれぞれ候補座標及び候補押下面積として入力して、前記文字一時記憶部に格納し、
その後に、所定時間が経過したとき、又は、前記所定時間が経過する前に、ユーザが前記文字入力領域以外の領域にタッチしたとき、前記文字一時記憶部に格納された前記候補座標及び前記候補押下面積をそれぞれ前記入力座標及び前記入力押下面積として確定する
請求項２に記載の情報処理装置。
【請求項４】
前記文字入力制御部は、
ユーザが、前記文字入力領域以外の領域として、前記複数の行表示領域のいずれか１つの行表示領域をタッチしたとき、前記文字一時記憶部に格納された前記候補座標及び前記候補押下面積をそれぞれ前記入力座標及び前記入力押下面積として確定する
請求項２又は３に記載の情報処理装置。
【請求項５】
前記制御装置は、
ユーザの指示により、前記対応データベースに格納された前記座標及び前記押下面積のうちの、ユーザが選択した１つのかな文字に対する座標及び押下面積の数値をユーザの所望の数値に変更する更新制御部
を更に具備する請求項１〜４のいずれかに記載の情報処理装置。
【請求項６】
前記更新制御部は、
ユーザの指示により、前記文字データベースに格納された前記全てのかな文字を表示するための更新要求画面を前記タッチパネルに表示する更新要求画面表示制御部と、
前記入力更新画面に表示された前記全てのかな文字のうちの前記１つのかな文字をユーザがタッチしたとき、前記対応データベースに格納された前記座標及び前記押下面積のうちの、前記１つのかな文字に対する座標及び押下面積の数値を変更するための入力更新画面を前記タッチパネルに表示する入力更新画面表示制御部と、
ユーザが前記入力更新画面にタッチしたとき、そのときの座標及び押下面積をそれぞれ更新座標及び更新押下面積として入力する更新文字入力制御部と、
前記対応データベースに格納された前記１つのかな文字に対する座標及び押下面積の数値をそれぞれ前記更新座標及び前記更新押下面積の数値に変更する文字更新制御部と
を具備する請求項５に記載の情報処理装置。
【請求項７】
前記更新文字入力制御部は、ユーザが前記入力更新画面にタッチしながら文字を入力したとき、そのときの座標及び押下面積をそれぞれ前記更新座標及び前記更新押下面積として入力する
請求項６に記載の情報処理装置。
【請求項８】
前記更新文字入力制御部は、ユーザが前記入力更新画面にタッチして前記１つのかな文字に対する座標及び押下面積の数値を入力したとき、そのときの座標及び押下面積をそれぞれ前記更新座標及び前記更新押下面積として入力する
請求項６に記載の情報処理装置。
【請求項９】
請求項１〜８のいずれかに記載の情報処理装置に利用される制御装置。
【請求項１０】
複数の行とそれに対する５列のかな文字を表すデータが格納された文字データベースと、前記文字データベースに格納された全てのかな文字に対して、座標及び押下面積が格納された対応データベースとを備えたコンピュータを用いる文字入出力方法であって、
前記文字データベースに格納された前記全てのかな文字のうちの、複数の行の１列目のかな文字をそれぞれ表す複数の行表示領域と、ユーザがタッチしながら文字を入力するための座標領域である文字入力領域とを含む文字入力画面をタッチパネルに表示するステップと、
ユーザが前記複数の行表示領域のうちの１つの行表示領域をタッチしたとき、前記文字データベースに格納された前記全てのかな文字の中から、前記１つの行表示領域に対応する選択行とそれに対する５列のかな文字を選択するステップと、
ユーザが前記文字入力領域にタッチしながら文字を入力したとき、そのときの座標及び押下面積をそれぞれ入力座標及び入力押下面積として入力するステップと、
前記選択行とそれに対する５列のかな文字の中から、前記入力座標及び前記入力押下面積が前記対応データベースに格納された前記座標及び前記押下面積に最も近い選択かな文字を選択するステップと、
前記選択かな文字を表示装置に表示するステップと
を具備する文字入出力方法。
【請求項１１】
前記入力座標及び前記入力押下面積を入力するステップは、
ユーザが前記文字入力領域にタッチしながら文字を入力したとき、そのときの座標及び押下面積をそれぞれ候補座標及び候補押下面積として入力して、前記文字一時記憶部に格納するステップと、
その後に、ユーザが前記文字入力領域以外の領域にタッチしたとき、前記文字一時記憶部に格納された前記候補座標及び前記候補押下面積をそれぞれ前記入力座標及び前記入力押下面積として確定するステップと
を含む請求項１０に記載の文字入出力方法。
【請求項１２】
前記入力座標及び前記入力押下面積を確定するステップは、
所定時間が経過したとき、又は、前記所定時間が経過する前に、ユーザが前記文字入力領域以外の領域にタッチしたとき、前記文字一時記憶部に格納された前記候補座標及び前記候補押下面積をそれぞれ前記入力座標及び前記入力押下面積として確定するステップ
を含む請求項１１に記載の文字入出力方法。
【請求項１３】
前記文字入力領域以外の領域は、
前記複数の行表示領域のいずれか１つの行表示領域
を含む請求項１１又は１２に記載の文字入出力方法。
【請求項１４】
ユーザの指示により、前記対応データベースに格納された前記座標及び前記押下面積のうちの、ユーザが選択した１つのかな文字に対する座標及び押下面積の数値をユーザの所望の数値に変更するステップ
を更に具備する請求項１０〜１３のいずれかに記載の文字入出力方法。
【請求項１５】
前記１つのかな文字に対する座標及び押下面積の数値をユーザの所望の数値に変更するステップは、
ユーザの指示により、前記文字データベースに格納された前記全てのかな文字を表示するための更新要求画面を前記タッチパネルに表示するステップと、
前記入力更新画面に表示された前記全てのかな文字のうちの前記１つのかな文字をユーザがタッチしたとき、前記対応データベースに格納された前記座標及び前記押下面積のうちの、前記１つのかな文字に対する座標及び押下面積の数値を変更するための入力更新画面を前記タッチパネルに表示するステップと、
ユーザが前記入力更新画面にタッチしたとき、そのときの座標及び押下面積をそれぞれ更新座標及び更新押下面積として入力するステップと、
前記対応データベースに格納された前記１つのかな文字に対する座標及び押下面積の数値をそれぞれ前記更新座標及び前記更新押下面積の数値に変更するステップと
を具備する請求項１４に記載の文字入出力方法。
【請求項１６】
前記更新座標及び前記更新押下面積を入力するステップは、
ユーザが前記入力更新画面にタッチしながら文字を入力したとき、そのときの座標及び押下面積をそれぞれ前記更新座標及び前記更新押下面積として入力するステップ
を含む請求項１５に記載の文字入出力方法。
【請求項１７】
前記更新座標及び前記更新押下面積を入力するステップは、
ユーザが前記入力更新画面にタッチして前記１つのかな文字に対する座標及び押下面積の数値を入力したとき、そのときの座標及び押下面積をそれぞれ前記更新座標及び前記更新押下面積として入力するステップ
を含む請求項１５に記載の文字入出力方法。
【請求項１８】
請求項１０〜１７のいずれかに記載の文字入出力方法の各ステップをコンピュータに実行させるコンピュータプログラム。
【発明の詳細な説明】
【技術分野】
【０００１】
本発明は、タッチパネルを用いて文字を入力し、その文字を表示装置に表示する情報処理装置に関する。
【背景技術】
【０００２】
ユーザがかな文字を入力して所望の処理を行うための情報処理装置が開発されている。例えば、特許文献１に記載された技術では、入力装置に全てのかな文字を表すキーが設けられている。この場合、ユーザとしては非常に楽にかな文字を入力することができる。
【０００３】
近年では、入力装置の代わりに、タッチパネルが採用されている場合がある。例えば、特許文献２には、タッチパネルにユーザが触れるときの座標と押下面積とを検出する技術が記載されている。
【０００４】
タッチパネルの面積が非常に大きい場合、情報処理装置は、全てのかな文字“あいうえお”、“かきくけこ”、…をタッチパネルに表示し、ユーザは、タッチパネルに表示された全てのかな文字“あいうえお”、“かきくけこ”、…の中から、１つのかな文字を選択することができる。しかし、携帯端末のような情報処理装置では、全てのかな文字“あいうえお”、“かきくけこ”、…をタッチパネルに表示することができない。
【０００５】
そこで、特許文献３に記載された情報処理装置では、複数の行の１列目のかな文字“あ”、“か”、“さ”、“た”、“な”、“は”、“ま”、“や”、“ら”、“わ”、…をそれぞれ表す複数の行表示領域『あ』『か』『さ』『た』『な』『は』『ま』『や』『ら』『わ』…をタッチパネルに表示することにより、タッチパネルの面積に対応させている。そして、ユーザが複数の行表示領域『あ』『か』『さ』『た』『な』『は』『ま』『や』『ら』『わ』…のうちの１つの行表示領域（例えば『あ』）をタッチしたとき、情報処理装置は、タッチした方向に応じて、行表示領域『あ』に対応する選択行とそれに対する５列のかな文字“あいうえお”の中から、１つのかな文字（例えば“お”）を選択する。例えば、行表示領域『あ』の中心、右方向、下方向、左方向、上方向に押下されたときに、それぞれ、かな文字“あ”、“い”、“う”、“え”、お”が選択される。
【０００６】
また、特許文献４に記載された情報処理装置では、例えば、行表示領域『あ』の中心、左方向、上方向、右方向、下方向に押下されたときに、それぞれ、かな文字“あ”、“い”、“う”、“え”、お”が選択される。
【先行技術文献】
【特許文献】
【０００７】
【特許文献１】再公表ＷＯ２００６／１０３９４７
【特許文献２】特開２００６−１２７４８６号公報
【特許文献３】特開２０００−１１２６３６号公報
【特許文献４】特開２００９−３９５０号公報
【発明の概要】
【発明が解決しようとする課題】
【０００８】
しかし、特許文献３、４に記載された情報処理装置では、ユーザは、例えば、かな文字“お”を選択するときに、行表示領域『あ』を押下する方向を把握していなければない。このように、どの年代でも使いやすいとは言い難く、使い勝手が悪い。
【０００９】
本発明の課題は、タッチパネルの面積が限られている場合、ユーザが行表示領域を押下する方向を把握することなく、かな文字を入力することができる情報処理装置を提供することにある。
【課題を解決するための手段】
【００１０】
本発明の情報処理装置は、タッチパネル、表示装置及び制御装置を具備している。制御装置は、複数の行とそれに対する５列のかな文字を表すデータが格納された文字データベースと、文字データベースに格納された全てのかな文字に対して、座標及び押下面積が格納された対応データベースと、入力画面表示制御部と、行選択制御部と、文字入力制御部と、文字選択制御部と、文字出力制御部とを具備している。入力画面表示制御部は、文字データベースに格納された全てのかな文字のうちの、複数の行の１列目のかな文字をそれぞれ表す複数の行表示領域と、ユーザがタッチしながら文字を入力するための座標領域である文字入力領域とを含む文字入力画面をタッチパネルに表示する。行選択制御部は、ユーザが複数の行表示領域のうちの１つの行表示領域をタッチしたとき、文字データベースに格納された全てのかな文字の中から、１つの行表示領域に対応する選択行とそれに対する５列のかな文字を選択する。文字入力制御部は、ユーザが文字入力領域にタッチしながら文字を入力したとき、そのときの座標及び押下面積をそれぞれ入力座標及び入力押下面積として入力する。文字選択制御部は、選択行とそれに対する５列のかな文字の中から、入力座標及び入力押下面積が対応データベースに格納された座標及び押下面積に最も近い選択かな文字を選択する。文字出力制御部は、選択かな文字を表示装置に表示する。
【発明の効果】
【００１１】
以上により、本発明の情報処理装置では、ユーザが複数の行表示領域のうちの１つの行表示領域をタッチしたとき、行表示領域に対応する選択行とそれに対する５列のかな文字を選択する。そこで、ユーザが文字入力領域にタッチしながら文字を入力したときの入力座標及び入力押下面積を入力し、選択行とそれに対する５列のかな文字の中から、入力座標及び入力押下面積が対応データベースに格納された座標及び押下面積に最も近い選択かな文字を選択する。このように、本発明の情報処理装置では、タッチパネルの面積が限られている場合、ユーザが行表示領域を押下する方向を把握することなく、かな文字を入力することができる。即ち、特許文献３、４のようにユーザは行表示領域を押下する方向を把握しなくてもいいし、ユーザが文字を入力する際の操作ミスも防止することができる。
【００１２】
また、本発明の情報処理装置では、ユーザがいきなり文字入力領域にタッチしながら文字を入力するのではなく、ユーザが複数の行表示領域のうちの１つの行表示領域をタッチした後に、文字入力領域にタッチしながら文字を入力する。このため、本発明の情報処理装置では、全てのかな文字の中から文字が選ばれるのではなく、まず、選択行とそれに対する５列のかな文字に絞られ、次に、その中から文字が選ばれることにより、ユーザが文字を入力する際の誤認識を防止することができる。
【図面の簡単な説明】
【００１３】
【図１】図１は、本発明の第１実施形態による情報処理装置１の構成を示している。
【図２】図２は、本発明の第１、２実施形態による情報処理装置１の制御装置１内の文字データベース４１を示している。
【図３】図３は、本発明の第１、２実施形態による情報処理装置１の制御装置１内の対応データベース４２を示している。
【図４】図４は、本発明の第１、２実施形態による情報処理装置１の動作として、文字入出力処理を示すタイミングチャートである。
【図５】図５は、本発明の第１、２実施形態による情報処理装置１における文字入力画面５０を示している。
【図６】図６は、本発明の第２実施形態による情報処理装置１の構成を示している。
【図７】図７は、本発明の第２実施形態による情報処理装置１の動作として、更新処理を示すタイミングチャートである。
【図８】図８は、本発明の第２実施形態による情報処理装置１における更新要求画面６１を示している。
【図９】図９は、本発明の第２実施形態による情報処理装置１における入力更新画面６２を示している。
【発明を実施するための形態】
【００１４】
以下に添付図面を参照して、本発明の実施形態による情報処理装置について詳細に説明する。
【００１５】
（第１実施形態）
図１は、本発明の第１実施形態による情報処理装置１の構成を示している。本発明の実施形態による情報処理装置１は、タッチパネル２と、表示装置３と、制御装置４とを具備している。
【００１６】
制御装置４は、コンピュータであり、ＣＰＵ（Ｃｅｎｔｒａｌ  Ｐｒｏｃｅｓｓｉｎｇ  Ｕｎｉｔ）１０と、記録媒体である記憶部１１とを具備している。記憶部１１には、コンピュータに実行させるためのコンピュータプログラム１２が記憶されている。ＣＰＵ１０は、起動時などに記憶部１１からコンピュータプログラム１２を読み取って実行する。コンピュータプログラム１２は、入力画面表示制御部２１、行選択制御部２２、文字入力制御部２３、文字選択制御部２４、文字出力制御部２５を含んでいる。これらの動作については後述する。
【００１７】
記憶部１１は、文字一時記憶部１３と、文字データベース４１と、対応データベース４２とを備えている。
【００１８】
図２は、文字データベース４１を示している。文字データベース４１には、複数の行とそれに対する５列のかな文字を表すデータが格納されている。複数の行とそれに対する５列のかな文字は、“あいうえお”、“かきくけこ”、…を表し、日本人であればどの年代でも知られていて、且つ、日本語を勉強した人であれば誰でも知られている。この場合、複数の行とそれに対する５列のかな文字“あいうえお”、“かきくけこ”、…は、ひらがな、カタカナ、濁音、句読点を含み、文字データベース４１は、例えば、子供や外国人などに日本語を教育するための表、いわゆる“あいうえお表”に対応する。
【００１９】
図３は、対応データベース４２を示している。対応データベース４２には、文字データベース４１に格納された全てのかな文字“あいうえお”、“かきくけこ”、…に対して、座標及び押下面積が格納されている。
【００２０】
図４は、本発明の第１実施形態による情報処理装置１の動作として、文字入出力処理を示すタイミングチャートである。
【００２１】
情報処理装置１が携帯端末である場合、入力画面表示制御部２１は、ユーザの指示により、図５に示されるような文字入力画面５０をタッチパネル２に表示する（ステップＳ１；入力画面表示処理）。
【００２２】
文字入力画面５０は、文字データベース４１に格納された全てのかな文字“あいうえお”、“かきくけこ”、…のうちの、複数の行の１列目のかな文字“あ”、“か”、“さ”、“た”、“な”、“は”、“ま”、“や”、“ら”、“わ”、…をそれぞれ表す複数の行表示領域５１『あ』『か』『さ』『た』『な』『は』『ま』『や』『ら』『わ』…と、ユーザがタッチしながら文字を入力するための座標領域である文字入力領域５２とを含んでいる。
【００２３】
ユーザが複数の行表示領域５１『あ』『か』『さ』『た』『な』『は』『ま』『や』『ら』『わ』…のうちの１つの行表示領域５１（例えば『あ』）をタッチしたとき、行選択制御部２２は、文字データベース４１に格納された全てのかな文字“あいうえお”、“かきくけこ”、…の中から、行表示領域５１『あ』に対応する選択行とそれに対する５列のかな文字“あいうえお”を選択する（ステップＳ２；行選択処理）。
【００２４】
ユーザが文字入力領域５２にタッチしながら文字（例えば“お”）を入力したとき、文字入力制御部２３は、そのときの座標及び押下面積をそれぞれ候補座標及び候補押下面積として入力して、文字一時記憶部１３に格納する。その後に、所定時間が経過したとき、文字入力制御部２３は、文字一時記憶部１３に格納された候補座標及び候補押下面積をそれぞれ入力座標及び入力押下面積として確定する。又は、所定時間が経過する前に、ユーザが、文字入力領域５２以外の領域として、複数の行表示領域５１『あ』『か』『さ』『た』『な』『は』『ま』『や』『ら』『わ』…のいずれか１つの行表示領域５１をタッチしたとき、文字入力制御部２３は、文字一時記憶部１３に格納された候補座標及び候補押下面積をそれぞれ入力座標及び入力押下面積として確定する（ステップＳ３；文字入力処理）。
【００２５】
文字選択制御部２４は、選択行とそれに対する５列のかな文字“あいうえお”の中から、入力座標及び入力押下面積が対応データベース４２に格納された座標及び押下面積に最も近い選択かな文字“お”を選択する（ステップＳ４；文字選択処理）。
【００２６】
文字出力制御部２５は、選択かな文字“お”を表示装置３に表示する（ステップＳ５；文字出力処理）。
【００２７】
以上の説明により、本発明の第１実施形態による情報処理装置１では、複数の行の１列目のかな文字“あ”、“か”、“さ”、“た”、“な”、“は”、“ま”、“や”、“ら”、“わ”、…をそれぞれ表す複数の行表示領域５１『あ』『か』『さ』『た』『な』『は』『ま』『や』『ら』『わ』…をタッチパネル２に表示することにより、タッチパネル２の面積に対応させることができる。
【００２８】
また、本発明の第１実施形態による情報処理装置１では、ユーザが複数の行表示領域５１『あ』『か』『さ』『た』『な』『は』『ま』『や』『ら』『わ』…のうちの１つの行表示領域５１『あ』をタッチしたとき、行表示領域５１『あ』に対応する選択行とそれに対する５列のかな文字“あいうえお”を選択する。そこで、ユーザが文字入力領域５２にタッチしながら文字“お”を入力したときの入力座標及び入力押下面積を入力し、選択行とそれに対する５列のかな文字“あいうえお”の中から、入力座標及び入力押下面積が対応データベース４２に格納された座標及び押下面積に最も近い選択かな文字“お”を選択する。このように、本発明の第１実施形態による情報処理装置１では、タッチパネルの面積が限られている場合、ユーザが行表示領域を押下する方向を把握することなく、かな文字を入力することができる。即ち、特許文献３、４のようにユーザは行表示領域を押下する方向を把握しなくてもいいし、ユーザが文字を入力する際の操作ミスも防止することができる。
【００２９】
また、本発明の第１実施形態による情報処理装置１では、ユーザがいきなり文字入力領域５２にタッチしながら文字“お”を入力するのではなく、ユーザが複数の行表示領域５１『あ』『か』『さ』『た』『な』『は』『ま』『や』『ら』『わ』…のうちの１つの行表示領域５１『あ』をタッチした後に、文字入力領域５２にタッチしながら文字“お”を入力する。このため、本発明の第１実施形態による情報処理装置１では、全てのかな文字“あいうえお”、“かきくけこ”、…の中から文字“お”が選ばれるのではなく、まず、選択行とそれに対する５列のかな文字“あいうえお”に絞られ、次に、その中から文字“お”が選ばれることにより、ユーザが文字を入力する際の誤認識を防止することができる。
【００３０】
（第２実施形態）
第１実施形態では、ユーザは、自身の指を用いても、タッチペンを用いても実現できる。第２実施形態では、ユーザは、自身の指を用いるものとする。この場合、対応データベース４２には、文字データベース４１に格納された全てのかな文字“あいうえお”、“かきくけこ”、…に対して、座標及び押下面積が予め格納されているが、ユーザによって指の大きさや字の癖が異なることから、第２実施形態では、ユーザ自身が文字を入力しやすいように、文字に対する座標及び押下面積の数値をユーザの所望の数値に変更することもできる。
【００３１】
図６は、本発明の第２実施形態による情報処理装置１の構成を示している。第２実施形態では、第１実施形態と重複する説明を省略する。
【００３２】
制御装置４の記憶部１１内のコンピュータプログラム１２は、更に、更新制御部３０を含んでいる。更新制御部３０は、ユーザの指示により、対応データベース４２に格納された座標及び押下面積のうちの、ユーザが選択した１つのかな文字（例えば“か”）に対する座標及び押下面積の数値をユーザの所望の数値に変更する。この更新制御部３０は、更新要求画面表示制御部３１、入力更新画面表示制御部３２、更新文字入力制御部３３、文字更新制御部３４を含んでいる。
【００３３】
図７は、本発明の第２実施形態による情報処理装置１の動作として、更新処理を示すタイミングチャートである。ユーザは、文字入出力処理の前に更新処理を予め実行しておく。
【００３４】
更新要求画面表示制御部３１は、ユーザの指示により、図８に示されるような更新要求画面６１をタッチパネル２に表示する（ステップＳ１１；更新要求画面表示処理）。
【００３５】
更新要求画面６１は、文字データベース４１に格納された全てのかな文字“あいうえお”、“かきくけこ”、…を表示するための領域を含み、この領域に表示された全てのかな文字“あいうえお”、“かきくけこ”、…のうちの１つのかな文字をユーザが選択可能である。
【００３６】
入力更新画面６１に表示された全てのかな文字“あいうえお”、“かきくけこ”、…のうちの１つのかな文字“か”をユーザがタッチしたとき、入力更新画面表示制御部３２は、図９に示されるような入力更新画面６２をタッチパネル２に表示する（ステップＳ１２；入力更新画面表示処理）。
【００３７】
入力更新画面６２は、選択されたかな文字としてかな文字“か”の入力を指示する表示領域６２ａと、入力領域６２ｂとを含んでいる。入力領域６２ｂは、かな文字“か”を入力し、対応データベース４２に格納された座標及び押下面積のうちの、かな文字“か”に対する座標及び押下面積の数値を変更するための領域である。
【００３８】
ユーザが入力更新画面６２にタッチしながら文字を入力したとき、更新文字入力制御部３３は、そのときの座標及び押下面積をそれぞれ更新座標及び更新押下面積として入力する。又は、ユーザが入力更新画面６２にタッチして１つのかな文字“か”に対する座標及び押下面積の数値を入力したとき、更新文字入力制御部３３は、そのときの座標及び押下面積をそれぞれ更新座標及び更新押下面積として入力する（ステップＳ１３；更新文字入力処理）。
【００３９】
文字更新制御部３４は、対応データベース４２に格納された１つのかな文字“か”に対する座標及び押下面積の数値をそれぞれ更新座標及び更新押下面積の数値に変更する（ステップＳ１４；文字更新処理）。
【００４０】
以上の説明により、本発明の第２実施形態による情報処理装置１では、第１実施形態の効果に加えて、ユーザ自身が文字を入力しやすいように、文字に対する座標及び押下面積の数値をユーザの所望の数値に変更することができる。
【符号の説明】
【００４１】
１    情報処理装置、
２    タッチパネル、
３    表示装置、
４    制御装置、
１０    ＣＰＵ、
１１    記憶部、
１２    プログラム、
１３    文字一時記憶部、
２１    入力画面表示制御部、
２２    行選択制御部、
２３    文字入力制御部、
２４    文字選択制御部、
２５    文字出力制御部、
３０    更新制御部、
３１    更新要求画面表示制御部、
３２    入力更新画面表示制御部、
３３    更新文字入力制御部、
３４    文字更新制御部、
４１    文字データベース、
４２    対応データベース、
５０    文字入力画面、
５１    行表示領域、
５２    文字入力領域、
６１    更新要求画面、
６２    入力更新画面、
６２ａ    表示領域、
６２ｂ    入力領域
【図１】
2011053935.tif 000003
【図２】
2011053935.tif 000004
【図３】
2011053935.tif 000005
【図４】
2011053935.tif 000006
【図５】
2011053935.tif 000007
【図６】
2011053935.tif 000008
【図７】
2011053935.tif 000009
【図８】
2011053935.tif 000010
【図９】
2011053935.tif 000011